(57)【特許請求の範囲】
【請求項１】
ミラーボックスと、
撮影光路に進入するミラーダウン位置と前記撮影光路から退避するミラーアップ位置との間で前記ミラーボックスに対して回動可能に支持され、前記ミラーダウン位置でレンズユニットの撮影光学系を通過した被写体光の一部を透過させて撮像素子へ導光させ、前記被写体光の残部を反射させる半透過ミラーを保持する保持部材と、
前記保持部材を前記ミラーダウン位置と前記ミラーアップ位置との間で回動させる駆動手段と、
前記保持部材の被写体側の先端部に対して前記保持部材に接近する閉じ位置と前記保持部材から離間する開き位置との間で回動軸を介して回動可能に支持される遮光部材と、
前記保持部材と前記遮光部材との間に設けられ、前記遮光部材を前記保持部材に対して開く方向に付勢する付勢部材と、を有し、
前記遮光部材は、前記保持部材がミラーダウン位置にあるとき、前記開き位置に配置され、前記保持部材がミラーダウン位置から前記ミラーアップ位置に回動する際、前記回動軸の近傍が前記ミラーボックスに設けられた係合部に係合することにより、前記付勢部材の付勢力に抗して前記閉じ位置へ向けて回動し、前記保持部材が前記ミラーアップ位置に回動したときに、前記撮影光路から退避して前記閉じ位置に配置され、
前記ミラーボックスには、前記保持部材が前記ミラーダウン位置に回動したときに、前記遮光部材と当接可能な当接部が前記遮光部材との間に隙間を有して設けられていることを特徴とする撮像装置。
【請求項２】
ミラーボックスと、
撮影光路に進入するミラーダウン位置と前記撮影光路から退避するミラーアップ位置との間で前記ミラーボックスに対して回動可能に支持され、前記ミラーダウン位置でレンズユニットの撮影光学系を通過した被写体光の一部を透過させて撮像素子へ導光させ、前記被写体光の残部を反射させる半透過ミラーを保持する保持部材と、
前記保持部材を前記ミラーダウン位置と前記ミラーアップ位置との間で回動させる駆動手段と、
前記保持部材の被写体側の先端部に対して前記保持部材に接近する閉じ位置と前記保持部材から離間する開き位置との間で回動軸を介して回動可能に支持される遮光部材と、
前記保持部材と前記遮光部材との間に設けられ、前記遮光部材を前記保持部材に対して開く方向に付勢する付勢部材と、を有し、
前記遮光部材は、前記保持部材がミラーダウン位置にあるとき、前記開き位置に配置され、前記保持部材がミラーダウン位置から前記ミラーアップ位置に回動する際、前記回動軸の近傍が前記ミラーボックスに設けられた係合部に係合することにより、前記付勢部材の付勢力に抗して前記閉じ位置へ向けて回動し、前記保持部材が前記ミラーアップ位置に回動したときに、前記撮影光路から退避して前記閉じ位置に配置され、
前記撮像装置の電源がオフされたとき、前記保持部材は、前記ミラーアップ位置と前記ミラーダウン位置の間で前記ミラーアップ位置の近傍に配置され、前記遮光部材は、前記保持部材に対して開いた状態で前記撮影光路に進入した位置に配置されることを特徴とする撮像装置。
【請求項３】
前記遮光部材は、前記保持部材が前記ミラーアップ位置に回動したときに、前記半透過ミラーを覆った状態で前記閉じ位置に配置されることを特徴とする請求項１又は２に記載の撮像装置。
【請求項４】
前記遮光部材は、前記回動軸が配置される基端側より先端部の幅が狭く形成されていることを特徴とする請求項１乃至３のいずれか一項に記載の撮像装置。
【請求項５】
前記遮光部材の両面には、光反射防止部が設けられていることを特徴とする請求項１乃至４のいずれか一項に記載の撮像装置。
【発明の詳細な説明】
【技術分野】
【０００１】
本発明は、半透過ミラーを備える、例えばデジタル一眼レフカメラ等の撮像装置に関する。
【背景技術】
【０００２】
デジタル一眼レフカメラ等の撮像装置では、レンズユニットを通過した被写体光の一部を半透過ミラーを透過させて撮像素子で露光させつつ、被写体光の残部を半透過ミラーでファインダ側に反射させて被写体を観察できるものがある。
【０００３】
このような撮像装置として、従来、半透過ミラーの保持枠に対して回動可能に支持された遮光部材をトグルバネの付勢力によりミラーアップ位置で保持枠と接近する位置に回動させ、ミラーダウン位置で保持枠から離れる位置に回動させる技術が提案されている。この提案では、トグルバネは、保持枠の被写体側でミラーボックスと遮光部材との間に掛け渡されている（特許文献１）。
【先行技術文献】
【特許文献】
【０００４】
【特許文献１】特開平１１−２９５８１０号公報
【発明の概要】
【発明が解決しようとする課題】
【０００５】
しかし、上記特許文献１では、半透過ミラーがミラーアップ位置とミラーダウン位置との間で回動する際にトグルバネがレンズユニットの像面側のレンズと干渉しないようにするため、半透過ミラーの大きさが制限される。このため、半透過ミラーを大きくできず、撮像素子での被写体光の露光領域が狭くなってしまう。また、半透過ミラーがミラーアップ位置に回動した際に、トグルバネが撮影光路に露出するため、撮影時に有害な反射光が発生するおそれがある。
【０００６】
そこで、本発明は、半透過ミラーを透過した被写体光の撮像素子での露光領域を狭くすることなく、撮影光路での有害な反射光を抑制することができる撮像装置を提供することを目的とする。
【課題を解決するための手段】
【０００７】
上記目的を達成するために、本発明の撮像装置は、ミラーボックスと、撮影光路に進入するミラーダウン位置と前記撮影光路から退避するミラーアップ位置との間で前記ミラーボックスに対して回動可能に支持され、前記ミラーダウン位置でレンズユニットの撮影光学系を通過した被写体光の一部を透過させて撮像素子へ導光させ、前記被写体光の残部を反射させる半透過ミラーを保持する保持部材と、前記保持部材を前記ミラーダウン位置と前記ミラーアップ位置との間で回動させる駆動手段と、前記保持部材の被写体側の先端部に対して前記保持部材に接近する閉じ位置と前記保持部材から離間する開き位置との間で回動軸を介して回動可能に支持される遮光部材と、前記保持部材と前記遮光部材との間に設けられ、前記遮光部材を前記保持部材に対して開く方向に付勢する付勢部材と、を有し、前記遮光部材は、前記保持部材がミラーダウン位置にあるとき、前記開き位置に配置され、前記保持部材がミラーダウン位置から前記ミラーアップ位置に回動する際、前記回動軸の近傍が前記ミラーボックスに設けられた係合部に係合することにより、前記付勢部材の付勢力に抗して前記閉じ位置へ向けて回動し、前記保持部材が前記ミラーアップ位置に回動したときに、前記撮影光路から退避して前記閉じ位置に配置され、前記ミラーボックスには、前記保持部材が前記ミラーダウン位置に回動したときに、前記遮光部材と当接可能な当接部が前記遮光部材との間に隙間を有して設けられていることを特徴とする。
【発明の効果】
【０００８】
本発明によれば、半透過ミラーを透過した被写体光束の撮像素子での露光領域を狭くすることなく、撮影光路での有害な反射光を抑制することができる。
【図面の簡単な説明】
【０００９】
【図１】（ａ）は本発明の撮像装置の実施形態の一例であるデジタル一眼レフカメラを正面側から見た斜視図、（ｂ）は（ａ）に示すデジタル一眼レフカメラを背面側から見た斜視図である。
【図２】図１（ａ）に示すデジタル一眼レフカメラのストロボユニットが発光位置にポップアップした状態を示す斜視図である。
【図３】図１に示すデジタル一眼レフカメラの制御系を説明する概略ブロック図である。
【図４】ミラーボックスを説明する斜視図である。
【図５】ミラーユニットと撮像素子を示す側面図である。
【図６】（ａ）はミラーユニットを被写体側から見た斜視図、（ｂ）はミラーユニットを撮像素子側から見た斜視図である。
【図７】（ａ）はミラーダウン位置でのミラーユニットの状態を示す側面図、（ｂ）はミラーユニットの遮光板の当接部がアップ位置駆動ピンに当接している状態を示す側面図である。
【図８】ミラーアップ位置でのミラーユニットの状態を示す側面図である。
【図９】デジタル一眼レフカメラの電源スイッチがオフ操作されたときのミラーユニットの位置を説明する側面図である。
【発明を実施するための形態】
【００１０】
以下、図面を参照して、本発明の実施形態の一例を説明する。
【００１１】
図１（ａ）は本発明の撮像装置の実施形態の一例であるデジタル一眼レフカメラを正面側から見た斜視図、図１（ｂ）は図１（ａ）に示すデジタル一眼レフカメラを背面側から見た斜視図である。図２は、図１（ａ）に示すデジタル一眼レフカメラのストロボユニットが発光位置にポップアップした状態を示す斜視図である。なお、本実施形態では、撮像装置として、デジタル一眼レフカメラを例示するが、半透過ミラーを有する撮像装置であれば、特に限定されない。
【００１２】
図１及び図２に示すように、本実施形態のデジタル一眼レフカメラ１００は、カメラ本体１０１の正面側に交換式のレンズユニット（不図示）が着脱可能に装着される。カメラ本体１０１の上面部には、ストロボユニット１０３、レリーズボタン１０４、電子ダイアル１０５、ＩＳＯ感度設定ボタン１０６、電源スイッチ１０７、モードダイアル１０８、及びアクセサリシュー１０９等が設けられている。
【００１３】
また、カメラ本体１０１の背面側には、表示ユニット１１０及びファインダユニット１１３等が設けられ、カメラ本体１０１の内部には、ミラーユニット１１２が設けられている。ミラーユニット１１２は、ミラーボックス２００（図４参照）に設けられ、後述する半透過ミラー２０３を備える。なお、本実施形態では、ミラーボックス２００の下側に、位相差ＡＦユニット、及び位相差ＡＦユニットに被写体光を導光する反射鏡は設けられていない。
【００１４】
図３は、図１及び図２に示すデジタル一眼レフカメラ１００の制御系を説明する概略ブロック図である。
【００１５】
図３において、カメラ制御回路１０は、電源スイッチ１０７がオン操作されると、所定のシーケンスによりカメラを起動し、操作検出回路１２により操作部材の操作が検出されると、検出結果に応じた処理を実行する。
【００１６】
例えば、モードダイアル１０８が操作されて撮影モードが選択されると、カメラ制御回路１０は、選択された撮影モードに対応したシャッタスピードと絞りとの組み合わせを決定するプログラム線図を設定する。また、カメラ制御回路１０は、電子ダイアル１０５が操作されると、露出補正などの設定を行い、ＩＳＯ感度設定ボタン１０６が操作されると、ＩＳＯ感度条件を設定する。
【００１７】
次に、モードダイアル１０８で自動設定モードが選択された場合の一連の撮影動作を説明する。カメラ制御回路１０は、操作検出回路１２によりレリーズボタン１０４の半押し操作が検出されると、撮影条件制御回路１３を駆動する。そして、カメラ制御回路１０は、適切なシャッタスピードと絞り値を決定するために、ファインダユニット１１３近傍に設けられた不図示の測光センサにより被写体光を測光する。なお、被写体光を測光は、半透過ミラー２０３を透過して撮像素子３０２に入射した被写体光を測光してもよい。
【００１８】
次に、カメラ制御回路１０は、測光センサによる測光結果に基づき、被写体光が所定の輝度よりも低いと判断されると、モータ制御回路１４により不図示のモータを駆動し、ストロボユニット１０３をポップアップさせて発光位置まで移動させる（図２参照）。
【００１９】
次に、カメラ制御回路１０は、操作検出回路１２によりレリーズボタン１０４の全押し操作が検出されると、撮像素子３０２に被写体光が到達するように、モータ制御回路１４により不図示のモータを駆動してミラーユニット１１２を撮影光路から退避させる。また、カメラ制御回路１０は、ストロボ制御回路１１を制御し、所定のタイミングでストロボを発光させ被写体に適切な光を照射させる。
【００２０】
次に、カメラ制御回路１０は、撮像素子３０２に被写体光が到達した状態でセンサ駆動回路１５を駆動して光電変換により被写体光を画像データとして取得し、取得した画像データに対してデータ処理回路１６により所定の増幅、変換、補正等の画像処理を施す。
【００２１】
カメラ制御回路１０は、記録処理回路１７を駆動して、画像処理後の画像データを不図示のメモリに記録する。また、カメラ制御回路１０は、撮影者が不図示の再生ボタンを操作すると、再生処理回路１８を駆動し、表示ユニット１１０にメモリに記録されている画像を表示する。
【００２２】
図４は、ミラーボックス２００を説明する斜視図である。図４に示すように、ミラーボックス２００の側部には、ミラーユニット１１２を駆動する駆動ユニット２０１が取り付けられている。駆動ユニット２０１は、モータ、ギア、駆動バネ、駆動レバーなどで構成されている。
【００２３】
ミラーボックス２００の上部には、図示は省略するが、前述したファインダユニット１１３が取り付けられる。また、ミラーボックス２００には、ミラーユニット１１２の半透過ミラー２０３を保持する保持枠２０４が回動軸２０４ａを介して回動可能に支持されている。ミラーユニット１１２は、半透過ミラー２０３及び保持枠２０４の他に、遮光板２０５及び付勢バネ２０６を備えている。保持枠２０４は、本発明の保持部材の一例に相当する。
【００２４】
ミラーボックス２００の内壁部の下部には、有害反射光を防止するための反射防止シート２０７が貼り付けられている。なお、反射防止シート２０７に代えて、反射防止塗装や反射防止構造等を採用してもよい。また、ミラーボックス２００の内壁部の上部には、撮影時にミラーアップしたミラーユニット１１２が衝突する衝撃吸収部材２０８が設けられている。ミラーユニット１１２を衝撃吸収部材２０８に衝突させることで、衝突時の衝撃が緩和される。
【００２５】
図５は、ミラーユニット１１２と撮像素子３０２を示す側面図である。図５に示すように、半透過ミラー２０３を保持する保持枠２０４は、回動軸２０４ａを介して撮影光路に進入するミラーダウン位置と撮影光路から退避するミラーアップ位置との間で回動可能に支持されている。
【００２６】
また、保持枠２０４は、駆動軸２０４ｂを駆動ユニット２０１の駆動バネと駆動レバーで駆動することで、ミラーダウン位置とミラーアップ位置との間で回動可能、かつミラーダウン位置とミラーアップ位置とで保持可能に構成されている。
【００２７】
半透過ミラー２０３は、ミラーダウン位置でレンズユニットの撮影光学系を通過した被写体光の一部を透過させて撮像素子３０２に導光させ、残部の被写体光をファインダユニット１１３のファインダ光学系側に反射させて撮影者が被写体を観察可能に構成される。
【００２８】
ミラーボックス２００の側壁内面には、アップ位置駆動ピン３００及びバウンド防止ピン３０１が設けられている。アップ位置駆動ピン３００は、本発明の係合部の一例に相当し、バウンド防止ピン３０１は、本発明の当接部の一例に相当する。なお、アップ位置駆動ピン３００及びバウンド防止ピン３０１の動作については後述する。
【００２９】
保持枠２０４の被写体側の先端部には、遮光板２０５が設けられている。遮光板２０５は、保持枠２０４に対して、保持枠２０４に接近する閉じ位置と保持枠２０４から離間する開き位置との間で回動軸２０４ｃを介して回動可能に支持されている。遮光板２０５は、本発明の遮光部材の一例に相当する。
【００３０】
回動軸２０４ｃには、保持枠２０４に対して遮光板２０５を開く（離れる）方向に付勢する付勢バネ２０６が設けられている。付勢バネ２０６は、本実施形態では、トーションバネで構成され、コイル部が回動軸２０４ｃに挿入されて、一端が保持枠２０４に当接し、他端が遮光板２０５の後述する当接部２０５ｄ（図６参照）に当接している。付勢バネ２０６は、本発明の付勢部材の一例に相当する。
【００３１】
遮光板２０５は、図５に示すように、ミラーユニット１１２がミラーダウン位置に配置されているとき、付勢バネ２０６の付勢力により、先端部を撮像素子３０２側に向けた状態で保持枠２０４に対して開いた状態で保持される（図５）。遮光板２０５の撮像素子３０２側の先端部は、保持枠２０４に形成された開口部２０４ｆ（図６（ｂ）参照）を覆うだけの幅があればよく、回動軸２０４ｃ側（基端側）の幅よりも狭く形成されている。これにより、遮光板２０５の軽量化を図っている。
【００３２】
遮光板２０５は、ミラーユニット１１２がミラーダウン位置に配置されているとき、保持枠２０４の被写体側先端とミラーボックス２００の下面との間から撮像素子３０２に入射する被写体光を遮光する。これにより、有害光を遮光して撮像素子３０２で得られる画像品質が悪化するのを防止し、合焦精度に影響を与えないようにしている。
【００３３】
遮光板２０５の表裏両面には、合焦時及び撮影時に有害光が反射するのを防止する反射防止シート２０５ａ，２０５ｂが貼り付けられている。ミラーユニット１１２がミラーダウン位置に配置されているとき、保持枠２０４の開口部２０４ｆから半透過ミラー２０３を透過した被写体光が撮像素子３０２に入射する。このとき、遮光板２０５で有害光が反射すると画像品質が悪化し、合焦精度に影響するが、反射防止シート２０５ｂにより、有害反射光を低減することが可能である。なお、反射防止シートに代えて、反射防止塗装や反射防止形状（例えば凹凸の連続形状）等の光反射防止部であってもよい。
【００３４】
本実施形態では、半透過ミラー２０３を透過した被写体光を撮像素子３０２で電気信号に変換し、撮像素子３０２から出力された画像データを利用してコントラストＡＦや撮像面位相差ＡＦなどで合焦動作を行うことが可能である。そのため、ミラーボックス２００の下側に位相差ＡＦユニットを設ける必要がなくなる。
【００３５】
また、ミラーユニット１１２がミラーダウン位置に配置されているとき、保持枠２０４の開口部２０４ｆを透過した被写体光を撮像素子３０２に導光して画像データを得るため、開口部２０４ｆのサイズにより合焦可能な範囲が決まる。本実施形態では、合焦可能な範囲は特に限定されないが、撮影サイズの５０％以上の開口部２０４ｆであれば、合焦可能な範囲が広く、使い勝手が良いため望ましい。また、半透過ミラー２０３が小さくなると、保持枠２０４の開口部２０４ｆも小さくなるため、半透過ミラー２０３は、極力大きい方が撮影者にとって使い勝手が良い。
【００３６】
図６（ａ）はミラーユニット１１２を被写体側から見た斜視図、図６（ｂ）はミラーユニット１１２を撮像素子３０２側から見た斜視図である。
【００３７】
図６に示すように、保持枠２０４の先端側の側部には、ミラーボックス２００に設けられた位置決め部３０３（図７参照）に当接する当接部２０４ｄが設けられている。ミラーユニット１１２のミラーダウン位置で保持枠２０４の当接部２０４ｄがミラーボックス２００の位置決め部３０３に当接することで、半透過ミラー２０３が所定の開き角度に維持される。
【００３８】
また、保持枠２０４の先端部には、受け部２０４ｅが設けられている。受け部２０４ｅには、ミラーユニット１１２のミラーダウン位置で付勢バネ２０６の付勢力により保持枠２０４に対して開く方向に付勢された遮光板２０５の基端側（回動軸２０４ｃ側）に設けられた当接部２０５ｃが当接する。これにより、遮光板２０５に作用する付勢バネ２０６の付勢力が当接部２０５ｃに受け止められて、保持枠２０４に対する遮光板２０５の開き角度が維持される。
【００３９】
遮光板２０５の当接部２０５ｃは、保持枠２０４から離れる方向に折り曲げられて形成されている。これにより、保持枠２０４の先端部の厚さ方向にも遮光板２０５が当接するようにして保持枠２０４の先端部を補強している。なお、遮光板２０５の当接部２０５ｃは、必ずしも折り曲げて形成する必要はない。
【００４０】
遮光板２０５の幅方向両側の回動軸２０４ｃ近傍には、アップ位置駆動ピン３００、及びバウンド防止ピン３０１に当接する当接部２０５ｄが設けられている。当接部２０５ｄは、本実施形態では、遮光板２０５の幅方向両側にそれぞれ立設された補強壁２０５ｅに設けられている。アップ位置駆動ピン３００は、当接部２０５ｄの上側（ファインダ側）に配置され、バウンド防止ピン３０１は、当接部２０５ｄの下側に配置されている（図７参照）。
【００４１】
次に、図７及び図８を参照して、ミラーユニット１１２の動作を説明する。図７（ａ）はミラーダウン位置でのミラーユニット１１２の状態を示す側面図、図７（ｂ）はミラーユニット１１２の遮光板２０５の当接部２０５ｄがアップ位置駆動ピン３００に当接している状態を示す側面図である。図８は、ミラーアップ位置でのミラーユニット１１２の状態を示す側面図である。
【００４２】
図７（ａ）に示すミラーユニット１１２のミラーダウン位置では、保持枠２０４は、当接部２０４ｄがミラーボックス２００の位置決め部３０３と当接した状態で所定の角度を維持した状態で保持されている。このとき、バウンド防止ピン３０１は、遮光板２０５の当接部２０５ｄの下側に所定の隙間を有して当接可能に離間配置されている。そして、ミラーダウン位置でミラーユニット１１２にバウンドが発生した際に、当接部２０５ｄが当接してミラーユニット１１２のバウンドを抑制する。
【００４３】
図７（ａ）に示す状態では、レンズユニットの撮影光学系を通過した被写体光の一部が半透過ミラー２０３を透過して撮像素子３０２に入射し、被写体光の残部が半透過ミラー２０３でファインダ光学系側に反射する。これにより、撮影者がファインダ光学系を通して被写体を観察可能となる。
【００４４】
撮像素子３０２へ入射した被写体光は、電気信号に変換され、レリーズボタン１０４を半押し操作されると、カメラ制御回路１０による前述した合焦制御、撮影条件設定が行われる。撮影可能となった後、保持枠２０４の駆動軸２０４ｂが駆動ユニット２０１により駆動され、保持枠２０４は、遮光板２０５とともにミラーアップ位置への回動動作を開始する。
【００４５】
そして、保持枠２０４がミラーアップ位置へ回動する途中で遮光板２０５の当接部２０５ｄがアップ位置駆動ピン３００に当接し、図７（ｂ）に示す状態となる。このとき、遮光板２０５の当接部２０５ｄがアップ位置駆動ピン３００に当接する位置は、遮光板２０５の回動軸２０４ｃより被写体側に配置される。また、遮光板２０５は、アップ位置駆動ピン３００から付勢バネ２０６の付勢力に抗して保持枠２０４に対して閉じる（近づく）方向に回転力を受け、これにより、遮光板２０５が保持枠２０４に対して閉じる方向に回動する。
【００４６】
保持枠２０４がミラーアップ位置へ更に回動すると、図８に示すように、保持枠２０４の先端部が衝撃吸収部材２０８に衝突し、ミラーアップ位置で保持される。このとき、遮光板２０５は、アップ位置駆動ピン３００により保持枠２０４に対して閉じた状態で保持されている。
【００４７】
ミラーユニット１１２がミラーアップ位置へ回動した後、撮像素子３０２による画像データの取得（露光）が行われる。このとき、遮光板２０５は、保持枠２０４に対して閉じた状態で保持枠２０４の開口部２０４ｆを覆う位置で保持されており、ファインダ光学系からの有害光が撮像素子３０２に到達することを防止している。また、遮光板２０５に貼り付けられた反射防止シート２０５ａにより、レンズユニットの撮影光学系を透過した有害光による反射を低減させている。これにより、撮像素子３０２の露光中に被写体光に有害光が入り込むことを低減することが可能となる。
【００４８】
撮像素子３０２の露光後、保持枠２０４を駆動ユニット２０１によりミラーダウン位置へ回動させる際には、保持枠２０４が撮影光軸に近づくにつれて、遮光板２０５は、保持枠２０４と共に撮影光軸に近づく。このため、遮光板２０５は、アップ位置駆動ピン３００から離れ始め、付勢バネ２０６の付勢力により保持枠２０４に対して開く方向に離れていく。
【００４９】
ミラーユニット１１２がミラーダウン位置へ回動した際に、ミラーユニット１１２がバウンドした場合は、前述したように、遮光板２０５の当接部２０５ｄがバウンド防止ピン３０１に当接し、これにより、遮光板２０５のバウンドが防止される。なお、ミラーユニット１１２の遮光板２０５のバウンドが小さい場合には、必ずしもバウンド防止ピン３０１を設ける必要はない。
【００５０】
図９は、カメラ１００の電源スイッチ１０７がオフ操作されたときのミラーユニット１１２の位置を説明する側面図である。
【００５１】
電源スイッチ１０７がオフ操作されると、カメラ制御回路１０は、モータ制御回路１４により、ミラーユニット１１２をミラーアップ位置近傍に回動させた後、所定のシーケンスでカメラ１００の電源をオフ状態とする。ミラーユニット１１２をミラーアップ位置近傍に配置するには、駆動ユニット２０１の駆動レバーと駆動カムを所定の位相で止めればよい。例えば、ミラーダウン動作中の所定の位相であっても良いし、ミラーアップ動作中の所定の位相であっても良い。
【００５２】
ミラーユニット１１２をミラーアップ位置近傍に配置した状態でカメラ制御回路１０がカメラ１００の電源をオフすることで、図９に示すように、保持枠２０４がミラーアップ位置近傍に位置して遮光板２０５が保持枠２０４に対して開いた状態となる。即ち、遮光板２０５が撮影光路に進入した状態でミラーユニット１１２を停止させることができる。これにより、不用意に太陽光に撮影レンズが向けられても、遮光板２０５が太陽光を遮光することができるため、不図示のシャッタユニットや撮像素子３０２に太陽光が直接入射することを防止することが可能となる。
【００５３】
以上説明したように、本実施形態では、半透過ミラー２０３がミラーアップ位置とミラーダウン位置との間で回動する際に付勢バネ２０６とレンズユニットの像面側のレンズとの干渉を考慮する必要がない。また、半透過ミラー２０３がミラーアップ位置に回動した際に、付勢バネ２０６が撮影光路に露出することもない。これにより、半透過ミラー２０３を透過した被写体光の撮像素子３０２での露光領域を狭くすることなく、撮影光路での有害な反射光を抑制することができる。
【００５４】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５５】
１００  デジタル一眼レフカメラ
１１２  ミラーユニット
２００  ミラーボックス
２０１  駆動ユニット
２０３  半透過ミラー
２０４  保持枠
２０４ｃ  回動軸
２０５  遮光板
２０６  付勢バネ
３００  アップ位置駆動ピン
３０２  撮像素子
【図１】
0006598506.tif 000002
【図２】
0006598506.tif 000003
【図３】
0006598506.tif 000004
【図４】
0006598506.tif 000005
【図５】
0006598506.tif 000006
【図６】
0006598506.tif 000007
【図７】
0006598506.tif 000008
【図８】
0006598506.tif 000009
【図９】
0006598506.tif 000010